(57)【特許請求の範囲】
【請求項１】
カラオケ曲の連続演奏時に前段曲と後続曲とをつなぐブリッジ部を演奏するためのブリッジ演奏データを複数記憶したブリッジ演奏データ記憶手段と、
前記ブリッジ演奏データを独自に持つ楽曲データ、前記ブリッジ演奏データ記憶手段に記憶されているブリッジ演奏データを指定するブリッジ指定データを持つ楽曲データ、および、前記ブリッジ演奏データおよびブリッジ指定データを持たない楽曲データを記憶した楽曲データ記憶手段と、
前記楽曲データに基づき、設定された音色でカラオケ曲の演奏音を発生するメイン楽音発生手段と、
カラオケ曲の連続演奏時に前段曲と後続曲とをつなぐブリッジ部の演奏音を発生する前記メイン楽音発生手段よりも簡略なブリッジ楽音発生手段と、
該ブリッジ楽音発生手段を用いたブリッジ部の演奏中に、前記メイン楽音発生手段を前記後続曲の演奏用に設定する設定手段と、
前記後続曲の楽曲データがブリッジ演奏データを独自に持つものである場合には、このブリッジ演奏データを前記ブリッジ楽音発生手段に供給し、前記後続曲の楽曲データがブリッジ指定データを持つものである場合には、このブリッジ指定データで指定されるブリッジ演奏データを前記ブリッジ演奏データ記憶手段から読み出して前記ブリッジ楽音発生手段に供給し、前記後続曲の楽曲データがブリッジ演奏データおよびブリッジ指定データを持たないものである場合には、後続曲の特徴または前記前段曲および後続曲の特徴に基づいて前記ブリッジ演奏データ記憶手段に記憶されている複数のブリッジ演奏データから１つを選択して前記ブリッジ楽音発生手段に供給するブリッジ演奏データ供給手段と、
を備えたカラオケ装置。
【発明の詳細な説明】
【０００１】
【発明の属する技術分野】
この発明は、複数のカラオケ曲の楽曲データから演奏区間を抽出し、これを連続して演奏することによってメドレー演奏が可能なカラオケ装置に関する。
【０００２】
【従来の技術】
カラオケ装置で演奏される楽曲データのなかに、複数のカラオケ曲のよく知られた部分をつなぎ合わせて作られたいわゆるメドレー曲といわれる曲があり、カラオケ歌唱者の人気を集めている。
【０００３】
【発明が解決しようとする課題】
メドレー曲は、複数の曲をつなぎ合わせて作られたものであるが、従来のメドレー曲は、それ自体が１つのカラオケ曲として構成されており、上記複数のカラオケ曲の楽曲データが作成されていても、それらとは別に独立した楽曲データとして作成する必要があった。
【０００４】
そこで、別々に登録されているカラオケ曲を連続して演奏することによってメドレー演奏することも考えられるが、別々のカラオケ曲を切れ目なく連続して演奏するためには、前段曲の演奏中に後続曲のセットアップを完了する必要があり、前後の曲の処理がオーバーラップするため、２系統の楽音発生手段が必要となり、カラオケ装置がコストアップしてしまうという問題点ががあった。
【０００５】
この発明は、カラオケ演奏用の楽音発生装置を２系統設けずに既存のカラオケ曲をつないでメドレー演奏することができるカラオケ装置を提供することを目的とする。
【０００６】
【課題を解決するための手段】
この発明は、カラオケ曲の連続演奏時に前段曲と後続曲とをつなぐブリッジ部を演奏するためのブリッジ演奏データを複数記憶したブリッジ演奏データ記憶手段と、前記ブリッジ演奏データを独自に持つ楽曲データ、前記ブリッジ演奏データ記憶手段に記憶されているブリッジ演奏データを指定するブリッジ指定データを持つ楽曲データ、および、前記ブリッジ演奏データおよびブリッジ指定データを持たない楽曲データを記憶した楽曲データ記憶手段と、前記楽曲データに基づき、設定された音色でカラオケ曲の演奏音を発生するメイン楽音発生手段と、カラオケ曲の連続演奏時に前段曲と後続曲とをつなぐブリッジ部の演奏音を発生する前記メイン楽音発生手段よりも簡略なブリッジ楽音発生手段と、該ブリッジ楽音発生手段を用いたブリッジ部の演奏中に、前記メイン楽音発生手段を前記後続曲の演奏用に設定する設定手段と、前記後続曲の楽曲データがブリッジ演奏データを独自に持つものである場合には、このブリッジ演奏データを前記ブリッジ楽音発生手段に供給し、前記後続曲の楽曲データがブリッジ指定データを持つものである場合には、このブリッジ指定データで指定されるブリッジ演奏データを前記ブリッジ演奏データ記憶手段から読み出して前記ブリッジ楽音発生手段に供給し、前記後続曲の楽曲データがブリッジ演奏データおよびブリッジ指定データを持たないものである場合には、後続曲の特徴または前記前段曲および後続曲の特徴に基づいて前記ブリッジ演奏データ記憶手段に記憶されている複数のブリッジ演奏データから１つを選択して前記ブリッジ楽音発生手段に供給するブリッジ演奏データ供給手段と、を備えたことを特徴とする。
【００１０】
この発明では、カラオケ曲を切れ目なく連続して演奏するとき、たとえばメドレー演奏をするとき、演奏を終了したカラオケ曲（前段曲）とこれから演奏されるカラオケ曲（後続曲）とを滑らかにつなぐため、曲間のブリッジ部を挿入する。後段曲の演奏を開始とき、楽音発生手段を設定するためにある程度の時間を要するが、ブリッジ部を演奏している間にこの設定を行う。カラオケ曲は高度に編曲されているため、高級な楽音発生手段（メイン楽音発生手段）が必要であるが、ブリッジ部はそれほど複雑にする必要がないため、簡略な楽音発生手段（ブリッジ楽音発生手段）でよい。ブリッジ部は、たとえばリズム音とベース音程度の楽音で前段曲と後続曲とをつなぐものでよい。また、このブリッジ楽音発生手段は、独立した音源ＬＳＩを備えるものでなくてもよく、たとえば、制御用ＣＰＵとプログラムで構成されるソフト音源や前記メイン楽音発生手段のハードウェアの一部を用いてもよい。これにより、２系列の音源を設けることによるコストアップを抑えることができる。
【００１１】
また、ブリッジ部は主として後続曲の導入部として機能するが、このブリッジ部の演奏データであるブリッジ演奏データを後続曲の楽曲データに記憶しておけば、この曲に最も適したブリッジ部を演奏することができる。また、カラオケ装置に記憶されている複数のブリッジ演奏データを選択することもできるが、個の場合に後続曲の楽曲データにブリッジ指定データを記憶しておけば、このなかから最適なものを選択することができる。さらに、ブリッジ指定データがない場合でも、後続曲または後続曲および前段曲のジャンルや拍子などの特徴に応じて選択することにより、不自然でない適当なブリッジ演奏データを選択することができる。
【００１２】
【発明の実施の形態】
図面を参照してこの発明の実施形態であるカラオケ装置について説明する。図１は同カラオケ装置が実行するメドレー演奏の形態を説明する図である。図２はは同カラオケ装置のブロック図である。
【００１３】
このカラオケ装置は、複数のカラオケ曲を切れ目なく連続して演奏するメドレーモードの機能を有している。メドレーモードは、利用者が予約した複数のカラオケ曲から演奏区間（この実施形態では１番）を抽出し、この演奏区間をつないで演奏するものである（図１参照）。このとき、曲（前段曲）と曲（後続曲）との接続をスムーズに行うため、その境目に数小節のブリッジパターンを挿入する。ブリッジパターンは２〜４小節程度のベース音，リズム音などからなる簡略なフレーズであり、カラオケ曲のような多チャンネルの複雑な楽音を用いずに数チャンネルの簡略な楽音で演奏できるものである。なお、図１では予約されたカラオケ曲を２曲のみ示しているが、連続して何曲予約された場合でも同様に接続して連続演奏する。
【００１４】
カラオケ装置は、このメドレーモードの演奏のため、前記カラオケ曲を演奏するためのメイン楽音発生手段（メイン音源装置１９ａ，音声データ処理部２０，効果用ＤＳＰ２１ａなど）を備えているほか、前記ブリッジパターンを演奏するためのブリッジ楽音発生手段（ブリッジ用音源１９ｂなど）を備えている。メイン音源装置１９ａは、高級な音源ＬＳＩを備えており多種のパラメータ設定により、種々の複雑な音色の楽音を６４音同時発音することができる。また、効果用ＤＳＰ２１ａは前記メイン音源装置１９ａが発生した楽音に対して遅延処理，フィルタ処理などを行って種々の効果を付与する装置であり、付与する効果はパラメータ設定によって種々に設定することができる。一方、ブリッジ用音源１９ｂは、簡略なパラメータ設定で１６音程度の楽音を同時発音できる廉価な音源である。また、ブリッジ用音源１９ｂは、発生した楽音に対して簡略な残響効果を付与する効果回路も内蔵している。
【００１５】
このようにメイン音源装置１９ａや効果用ＤＳＰ２１ａはパラメータ設定によって多様な楽音を出力することができるが、特定のカラオケ曲に合わせてパラメータを設定するためには数秒の時間が必要であり、複数のカラオケ曲を全く切れ目なく演奏することは不可能である。そこで、前段曲と後続曲との間にこれらをスムーズに接続するブリッジパターンを挿入し、このブリッジパターンをブリッジ用音源装置１９ｂで演奏している間に、メイン音源装置１９ａや効果用ＤＳＰ２１ａのパラメータ設定を行うようにした。
【００１６】
図２は同カラオケ装置のブロック図である。装置全体の動作を制御するＣＰＵ１０には、バスを介してＲＯＭ１１、ＲＡＭ１２、ハードディスク記憶装置（ＨＤＤ）１４、通信制御部１５、リモコン受信部１６，表示パネル１７、パネルスイッチ１８、カラオケ曲演奏用のメイン音源装置１９ａ，ブリッジパターン演奏用のブリッジ用音源装置１９ｂ、音声データ処理部２０、効果用ＤＳＰ２１ａ，２１ｂ、ミキサ２２、文字表示部２３、ＣＤ−ＲＯＭチェンジャ２４および表示制御部２５が接続されている。また、ミキサ２２にはアンプスピーカ２６が接続されており、効果用ＤＳＰ２１ｃにはボーカル用のマイク２７が接続されている。表示制御部２５にはモニタ２８が接続されている。これらアンプスピーカ２６，ボーカル用マイク２７およびモニタ２８はカラオケ装置本体とは別体となっている。
【００１７】
前記ＲＯＭ１１には起動プログラムなどが記憶されている。起動プログラムはこの装置の電源オン時に読み出され、ハードディスク記憶装置１４に記憶されているシステムプログラム，カラオケ実行プログラム群，ローダなどをＲＡＭ１２に読み出してこの装置を立ち上げる。システムプログラムは、この装置の基本動作や周辺機器とのデータ送受を制御するプログラムである。カラオケ実行プログラム群は、図４〜図６のフローチャートに示すような動作を実行する。ローダは、通信制御部１５を介して配信センタからカラオケ演奏用の楽曲データなどをダウンロードするためのプログラムである。
【００１８】
ＲＡＭ１２には、上記プログラム読出エリアおよび２曲分の楽曲データ読出エリア、ブリッジパターン読出エリアなどが設定される。２曲分の楽曲データ読出エリアはメドレーモード時に現在演奏されているカラオケ曲の楽曲データと次に演奏されるカラオケ曲の楽曲データを並行して処理するために設定されている。ブリッジパターンは、曲と曲との間を接続する短いフレーズの演奏データである。また、ＲＡＭ１２には、利用者が入力した曲番号を登録する予約リストも設定されている。
【００１９】
通信制御部１５は、配信センタからカラオケ演奏のための楽曲データをダウンロードしてＨＤＤ１４に書き込む。通信制御部１５はＤＭＡ回路を内蔵しており、ダウンロードされた楽曲データをＣＰＵ１０を介さずに直接ＨＤＤ１４に書き込むことができる。ＨＤＤ１４には、図２に示すように、ダウンロードされた楽曲データを約１万曲分蓄積記憶するための楽曲データ記憶エリアが設けられている。また、この楽曲データのダウンロード時にメドレーモード時に曲の境目をつなぐブリッジパターンを配信センタからダウンロードすることもできる。
【００２０】
コマンダ受信部１６はコマンダ３から送られてくる赤外線信号を受信してデータを復元する。コマンダ３はテンキーやモード切換キーなどの各種キースイッチを備えており、利用者がこれらのスイッチを操作すると、その操作に応じたコードの赤外線信号を送信する。利用者は上記各種キースイッチのオンシーケンスによって、カラオケ装置本体に曲番号を入力することができる。また、モード切換キーを操作することにより、１曲ずつ別々に演奏する通常モードと上記メドレーモードとを切り換えることができる。また、コマンダ３を用いてメドレー演奏時の演奏区間（１番のみ，２番のみ，１〜２番，１番のサビ部分のみなど）を指定できるようにしてもよい。また、この指定を全曲共通にするか各曲毎に個別のものにするかも任意である。
【００２１】
表示パネル１７は入力された曲番号などを表示するためのＬＥＤ表示器などを含んでいる。また、パネルスイッチ１８はテンキーのほか上記コマンダ３と同種のキースイッチを含んでおり、このパネルスイッチを操作して曲番号を入力することもできる。
【００２２】
このカラオケ装置は、カラオケ曲を演奏するための演奏系統（メイン音源装置１９ａ，音声データ処理部２０，効果用ＤＳＰ２１ａ）およびメドレーモード時にブリッジパターンを演奏するためのブリッジ用音源装置１９ｂを備えている。メドレーモードで複数のカラオケ曲を連続して演奏するとき、各カラオケ曲の音源設定が異なり、パラメータを送信して音源を設定するために数秒の時間を要する。そこで、曲と曲の境目にブリッジ用音源装置１９ｂを用いてブリッジパターンを演奏し、この間にメイン音源装置１９ａや効果用ＤＳＰ２１ａなどの設定変更を行う。メイン音源装置１９ａは、６４音程度の同時発音チャンネルを有し、多くのパラメータ設定により複雑な楽音を形成できるものである。また、効果用ＤＳＰ２１ａは形成された楽音に種々の効果を付与することができるものである。また、音声データ処理部２０は、音声データに基づいてバックコーラスなどの音声信号を形成する。音声データは、メイン音源装置１９ａで電子的に発生しにくい信号波形（バックコーラスなど）を生の音声信号からＡＤＰＣＭデータ化したものであり、音声データ処理部２０はこれを伸長して出力する。効果用ＤＳＰ２１ａで効果を付与されたカラオケ演奏音はミキサ２２に出力される。一方、ブリッジ用音源装置１９ｂは４音程度の同時発音チャンネル数を有し、簡略な楽音信号を形成するとともにエコーなどの簡略な効果を内部で付与することができる簡略なものである。
【００２３】
一方、歌唱用のマイク２７はプリアンプ３０に接続されている。マイク２７から入力された歌唱音声信号はプリアンプ３０で増幅されＡ／Ｄコンバータ３１でディジタル信号に変換されたのち効果用ＤＳＰ２１ｂに入力される。効果用ＤＳＰ２１ｂは、歌唱音声信号にエコーなどの効果を付与したのちミキサ２２に出力する。ミキサ２２はＤＳＰ２１ａ，２１ｂから入力されたカラオケ演奏音および歌唱音声信号を適当な比率でミキシングしアナログ信号に変換したのちアンプスピーカ２６に出力する。アンプスピーカ２６はこのアナログ信号を増幅してスピーカから放出する。なお、ＤＳＰ２１ａ，２１ｂに付与される効果の種類および程度は、ＣＰＵ１０から入力されるＤＳＰコントロールデータによって制御される。ＤＳＰコントロールデータは、楽曲データのＤＳＰコントロールトラックにデルタタイムデータとともに記憶されており、ＣＰＵ１０がカラオケ演奏の所定タイミングに読み出してＤＳＰ２１ａ，２１ｂに入力する。なお、ブリッジ用音源装置１９ｂが発生した楽音もミキサ２２に入力される。
【００２４】
文字表示部２３には、カラオケ曲の曲名や歌詞を表示するための文字表示データが入力される。文字表示データは楽曲データの文字表示トラックに書き込まれているデータであり、上記楽音トラックに基づくカラオケ演奏に同期して曲名や歌詞が表示され、且つ、表示色が変更されるように時間間隔データ（デルタタイムデータ）とともにインプリメントされている。文字表示部２３は、この文字表示データに基づいて曲名や歌詞などの文字パターンを生成する。また、ＣＤ−ＲＯＭチェンジャ２４は、カラオケ演奏時にＣＤ−ＲＯＭにＭＰＥＧフォーマットで記録されている映像を再生する。ＣＰＵ１０は演奏するカラオケ曲のジャンルデータなどに基づいてどのような背景映像を再生するかを決定し、その背景映像のチャプタナンバをＣＤ−ＲＯＭチェンジャ２４に送信する。ＣＤ−ＲＯＭチェンジャ２４は、このＣＰＵ１０が指定するチャプタの映像を複数枚（５枚程度）のＣＤ−ＲＯＭのなかから選択して再生する。上記文字表示部２３が生成した文字パターンおよびＣＤ−ＲＯＭチェンジャ２４が再生した背景映像は表示制御部２５に入力される。表示制御部２５は背景映像の上に文字パターンをスーパーインポーズで合成してモニタ２８に表示する。
【００２５】
図３は同カラオケ装置のハードディスク記憶装置および楽曲データの構成を示す図である。ハードディスク記憶装置１４には、上述したプログラム記憶エリア、楽曲データ記憶エリアとともにブリッジパターン記憶エリアが設定されている。ブリッジパターン記憶エリアには、対応するジャンルや拍子で分類された複数種類のブリッジパターンが記憶されている。ブリッジパターンは２〜４小節の、リズムパターン，ベースパターンなどからなるものであり、同図（Ｃ）に示すフォーマットのシーケンスデータである。これは、楽曲データ（同図（Ｂ）参照）の各トラックと同じフォーマットである。
【００２６】
ジャンルとしては、ポップス、演歌などの単一のジャンル向けのもののほか、ポップス→演歌や演歌→ポップスなど異なるジャンルの曲を接続するためのブリッジパターンも準備されている。また、拍子も前後の曲が両方とも４拍子，３拍子の場合に対応するもののほか、４拍子→３拍子，３拍子→４拍子など拍子が変わる場合に対応するブリッジパターンも準備されている。これにより、前後の曲のジャンルや拍子が変わる場合でも適当なものを選択することにより、スムーズに前後の曲を接続することができる。たとえば、ポップスの場合、前段曲，後続曲とも４拍子系の曲であった場合のための「ポップス４拍子」パターン、前段曲，後続曲とも３拍子系の曲であった場合のための「ポップス３拍子」パターン、前段曲が４拍子系の曲，後続曲が３拍子系の曲の場合のための「ポップス４→３」パターン、前段曲が３拍子系の曲，後続曲が４拍子系の曲の場合のための「ポップス３→４」パターンなどが記憶されている。
【００２７】
ブリッジパターンの選択は、このように前段曲，後続曲の特徴に基づいてカラオケ装置が判断して選択するようにしてもよいが、同図（Ｂ）に示すように楽曲データ中にブリッジパターン記憶エリアまたはパターン指定データ記憶エリアを設定し、各カラオケ曲毎に自曲につながるブリッジパターンデータを書き込んでおくか前記ハードディスク記憶装置１４に登録されているブリッジパターンのうちどのパターンを用いるかのパターン指定データを書き込んでおくようにしてもよい。
【００２８】
図４〜図６は同カラオケ装置のメドレーモード時の動作を示すフローチャートである。
【００２９】
図４（Ａ）はメドレーの１曲目の演奏動作を示すフローチャートである。メドレーモードの動作がスタートすると予約登録されている曲番号の先頭の曲番号を読み出し（ｓ１）、この曲番号で識別される楽曲データを読み出す（ｓ２）。そして、通常の演奏モードと同様にこのカラオケ曲の演奏をスタートする。まず、タイトルを表示している間に音源１９等のセットアップを実行する（ｓ３）。そして、次のメドレー曲（後続曲）および該後続曲との間のブリッジパターンを準備するための準備プログラムを起動する（ｓ４）。この準備プログラムはこの１曲目演奏処理動作と並行して実行される。そして、このカラオケ曲を先頭から演奏スタートする（ｓ５）。そして演奏区間（この実施形態の場合には１番）が終了するまでこの演奏動作を継続する（ｓ６）。この演奏の間に上記準備プログラムは後続曲およびブリッジパターンの演奏準備を完了している。そして、演奏区間が終了すると（ｓ６）、後続曲演奏プログラムおよびブリッジ演奏プログラムに対して動作スタートを通知して（ｓ７）、この１曲目演奏処理プログラムを終了する。
【００３０】
図４（Ｂ）は準備処理プログラムの動作を示すフローチャートである。まず、現在演奏されている曲の次に予約されている曲番号を予約リストから読み出し（ｓ１０）、この曲番号で識別される楽曲データを読み出す（ｓ１１）。そしてこの楽曲データを先頭からスキャンして、演奏区間（１番）の開始位置と終了位置とを割り出すとともに（ｓ１４）、この演奏区間の開始位置においてメイン音源装置１９ａ，効果用ＤＳＰ２１ａ等に設定されているべきパラメータを読み出す（ｓ１３）。すなわち、パラメータは曲の先頭で設定されるほか、曲の進行に応じて変更されるため、楽曲データの先頭から順次読み出して演奏区間の開始位置における設定内容を割り出す。そして、現在演奏されている曲（前段曲）と上記処理動作で準備した曲（後続曲）とをつなぐブリッジパターンを選択する（ｓ１５）。
【００３１】
図５を参照して上記ブリッジパターン選択動作を説明する。まず、後続曲の楽曲データ中にブリッジパターンのシーケンスデータ（ＭＩＤＩデータ）が含まれているかを判断する（ｓ２０）。含まれている場合には、この楽曲データ中のパターンデータをブリッジパターンデータとして選択する（ｓ２１）。楽曲データ中にブリッジパターンのシーケンスデータが含まれていない場合には（ｓ２０）、後続曲の楽曲データ中にブリッジパターン指定データが含まれているかを判断する（ｓ２２）。ブリッジパターン指定データが含まれている場合には、この指定データで指定されるブリッジパターン（ハードディスク記憶装置１４に記憶されている）を今回のブリッジパターンデータとして選択する（ｓ２３）。そして、後続曲の楽曲データ中にブリッジパターンのシーケンスデータもブリッジパターン指定データも含まれていない場合には（ｓ２２）、後続曲、または、後続曲および前段曲のジャンルや拍子に基づいてハードディスク記憶装置１４に記憶されているもののうち最適のものをブリッジパターンデータとして選択する（ｓ２４）。
【００３２】
上記処理で選択されたブリッジパターンデータをＲＡＭ１２のブリッジパターン読出エリアに読み出す（ｓ１６）。こののち、このブリッジパターンを演奏するためのブリッジ演奏プログラムを起動して（ｓ１７）、動作を終了する。
【００３３】
図６（Ａ）はブリッジ演奏処理プログラムを示すフローチャートである。ブリッジ演奏の準備が完了するとこのプログラムが起動される。起動されると、まずブリッジ用音源１９ｂを設定する（ｓ３０）。この設定は簡略なものであるため、全てデフォルトで処理するようにして省略してもよい。このとき、同時に音源に内蔵されている簡略な効果装置の設定も行われるものとする。
【００３４】
こののち、そのとき演奏中の曲（前段曲）の演奏区間が終了するまで待機する（ｓ３１）。前段曲が終了したことを１曲目演奏処理プログラムまたはメドレー曲演奏処理プログラムから通知されると（ｓ３１）、ブリッジパターンの演奏をスタートする（ｓ３２）。ブリッジパターンの演奏はｓ１６でＲＡＭに読み出されたブリッジパターンをシーケンスに従ってブリッジ用音源１９ｂに入力することによって行われる。このブリッジパターンの演奏が終了すると（ｓ３３）、メドレー曲演奏プログラムに対してブリッジパターンの演奏終了を通知して（ｓ３４）、動作を終了する。
【００３５】
図６（Ｂ）はメドレー曲演奏処理プログラムの動作を示すフローチャートである。１曲目の演奏が終了してこのプログラムが起動されると、まず、読み出されている音源設定パラメータでメイン音源をセットアップする（ｓ４０）。これで、いつでもこの曲の演奏区間の演奏をスタートすることができるようになる。そして、ブリッジパターンの演奏が終了した旨の通知をブリッジ演奏処理プログラムから受信するまで待機する（ｓ４１）。ブリッジの演奏が終了した旨の通知を受けると（ｓ４１）、演奏区間から間奏を開始するとともに（ｓ４３）、この曲の次の曲を準備するために準備プログラムを起動する（ｓ４２）。そして演奏区間が終了すると（ｓ４４）、ブリッジ演奏プログラムを起動するとともに（ｓ４５）、次のメドレー曲を演奏するため、ｓ４０にもどり、次のメドレー曲のためのメイン音源のセットアップを行う。
【００３６】
以上のようにこの動作によれば、複数の楽曲データを接続してメドレー演奏をする場合でも、ブリッジパターンを演奏している間に次の曲の音源設定を行うことができるため、１系統のメイン音源で任意のメドレー演奏をすることができる。
【００３７】
また、この実施形態では、専用のブリッジ用音源装置１９ｂを設けているが、ブリッジ用音源としては、メイン音源装置１９ａの一部チャンネルを借用するようにしてもよく、また、コントロール用のＣＰＵ１０を用いたソフト音源で対応するようにしてもよい。
【００３８】
【発明の効果】
以上のようにこの発明によれば、メイン楽音発生手段に加えてブリッジ楽音発生手段を設けたことにより、ブリッジ用楽音発生手段はメイン楽音発生手段よりも簡略なものでよく、複雑で高価なメイン楽音発生手段を１系統のみ用いてカラオケ曲のメドレー演奏が可能になる。
【００３９】
またこの発明によれば、このブリッジ演奏データを連続して演奏される曲の後続曲の楽曲データ中に記憶しておき、これを前後の曲間に演奏するようにしたことにより、後続曲の導入をスムーズに行うことができる。また、後続曲の楽曲データに書き込まれている指定データにより、複数のブリッジ演奏データから１つを選択することにより、後続曲の導入をスムーズに行うことができる。さらに、後続曲の特徴または後続曲および前段曲の特徴に基づいて複数のブリッジ演奏データから１つを選択することにより、前後の曲の連結をスムーズに行うことができる。
【図面の簡単な説明】
【図１】この発明の実施形態であるカラオケ装置で実行されるメドレー演奏を説明する図
【図２】同カラオケ装置のブロック図
【図３】同カラオケ装置のハードディスクおよび楽曲データの構成図
【図４】同カラオケ装置のメドレーモード時の動作を示すフローチャート
【図５】同カラオケ装置のメドレーモード時の動作を示すフローチャート
【図６】同カラオケ装置のメドレーモード時の動作を示すフローチャート
【符号の説明】
１９ａ…メイン音源装置、２０…音声信号処理装置、２１ａ…効果用ＤＳＰ、
１９ｂ…ブリッジ用音源装置
【図１】
0003861381.tif 000002
【図２】
0003861381.tif 000003
【図３】
0003861381.tif 000004
【図４】
0003861381.tif 000005
【図５】
0003861381.tif 000006
【図６】
0003861381.tif 000007